(57)【要約】３つのはめ込み式の部分（８；１０；１２）を有する引出しスライド（６）の中で用いられている自動閉鎖はめ込み式機構。フロータ（１４）は、外側部分の内側端に摺動可能に取着されている。フロータは、内側部分（１２）と相互作用している。引出しが開かれている時、フロータ（１４）は、完全に延長された位置へ外側端に向かって外側部分（８）に沿って摺動している。フロータは、完全に延長された位置でロックされ、内側部分（１２）から解除される。ばね（３４）は、フロータを閉じられた端部に向かってバイアスしている。引出しが、閉じられている時、フロータ（１４）は、内側部分（１２）により係合され、解除される。ばね（３４）は、フロータ（１４）を内側部分（１２）と中間部分（１０）と共に完全に閉じられた位置に引いていく。
2006525041.tif 000002
【特許請求の範囲】
【請求項１】
内側端と、外側端と、第１の部分及び第２の部分を含む少なくとも２つの部分と、フロータとを具備し、前記フロータは、前記内側端の近くで前記第１の部分に摺動可能に取着されこの内側端の近くで所定の範囲内で前記第２の部分に分離可能に取着されており、このフロータは、前記内側端とフロータとの間に延びている弾性の接続材により前記内側端に向かってバイアスがかけられており、また、このフロータは、前記第２の部分が前記所定の範囲内にある時、前記第２の部分に取着され、この第２の部分がこの範囲を越えている時、この第２の部分から分離している、自動閉鎖はめ込み式機構。
【請求項２】
互いに対してはめ込み式に摺動するようにサイズが設定され互いに取着されている少なくとも２つの長手方向の部分と、内側端及び外側端と、閉じられた位置及び開いた位置と、フロータとを具備し、前記少なくとも２つの長手方向の部分は、第１の部分及び第２の部分を有しており、前記フロータは、前記内側端の近くで前記第１の部分の中に摺動可能に取着され、このフロータは、延長された位置と引き込まれた位置とを有し、このフロータは、このフロータを前記引き込まれた位置にバイアスをかけている弾性の接続材に接続されている、自動閉鎖はめ込み式機構であって、
前記引き込まれた位置の前記フロータと前記閉じられた位置の前記機構とから始めて、このフロータは、前記機構が開かれていると、前記第２の部分と共に延長された位置に動くように構成されており、このフロータのこの延長された位置への運動は、前記第２の部分の運動によりコントロールされ、このフロータは、このフロータが前記第１の部分に対してロックされた位置に自動的に固定されている最大に延長された位置を有し、
前記フロータは、前記機構が閉じ前記第２の部分がこのフロータのための引き金点に達する時、前記ロックされた位置から自動的に解除され、前記第２の部分は、前記機構が開かれ前記フロータが前記ロックされた位置に達する時、このフロータから自動的に接続を解除するように構成されており、前記第２の部分は、前記機構が閉じられ前記フロータが前記ロックされた位置から解除される時、前記フロータに自動的に再取着するように構成されており、前記接続材は、前記フロータが前記ロックされた位置から解除される時、前記フロータに前記引き込まれた位置に強制し前記機構を前記閉じられた位置に動かす、自動閉鎖はめ込み式機構。
【請求項３】
互いに対してはめ込み式に摺動するようにサイズが設定され互いに取着されている少なくとも２つの長手方向の部分と、内側端及び外側端と、閉じられた位置及び開いた位置と、フロータとを具備し、前記少なくとも２つの長手方向の部分は、第１の部分及び第２の部分を有しており、前記フロータは、前記内側端の近くで前記第１の部分の中に摺動可能に取着され、このフロータは、延長された位置と引き込まれた位置とを有し、このフロータは、このフロータを前記引き込まれた位置にバイアスをかけている弾性の接続材に接続されている、自動閉鎖はめ込み式機構であって、
前記引き込まれた位置の前記フロータと閉じられた位置の前記機構から始めて、このフロータは、前記第２の部分に取着され、このフロータは、前記機構が開かれる時に前記第２の部分と共に延長された位置に動き、このフロータのこの延長された位置への移動は、前記第２の部分によりコントロールされ、このフロータは、このフロータが前記第１の部分に対してロックされた位置に自動的に固定され前記第２の部分が開きつづけると前記第２の部分から自動的に解除される最大に延長された位置を有し、
前記機構が閉じる時、前記第２の部分は、前記フロータに自動的に再取着するように構成され、このフロータは、前記ロックされた位置から自動的に解除され、前記接続材は、このフロータが前記第１の部分に対して前記ロックされた位置から解除される時に、このフロータを前記引き込まれた位置に強制し、これにより、前記第２の部分を引き、前記機構を前記閉じられた位置へと動かす、自動閉鎖はめ込み式機構。  
【請求項４】
前記第２の部分は、複数の側縁を有し、前記フロータは、これら側縁に沿って摺動するようにサイズと形状とが設定されている請求項１乃至３のいずれか１に記載の自動閉鎖はめ込み式機構。
【請求項５】
前記第１の部分は、複数の側縁を有し、これら側縁は、各々この側縁の上にカバーを有しており、前記フロータは、前記カバーに沿って摺動するようにサイズと形状とが設定されている請求項１乃至３のいずれか１に記載の自動閉鎖はめ込み式機構。
【請求項６】
前記少なくとも２つの長手方向の部分は、第３の部分を含み、この第３の部分は、前記第１の部分と第２の部分との間に摺動可能に位置されている請求項１乃至３のいずれか１に記載の自動閉鎖はめ込み式機構。
【請求項７】
前記機構は、引出しスライドであり、２つの引出しスライドがあり、これら引出しスライドは、ハウジングの中に取着され、これら引出しスライドでこのハウジングに入り、このハウジングから出る引出しを支持している請求項１乃至３のいずれか１に記載の自己閉鎖はめ込み式機構。
【請求項８】
前記機構は、閉じられた位置と開いた位置とを呈し、前記フロータは、前記接続材の延長された位置と引き込まれた位置とに対応して、延長された位置と引き込まれた位置とを有する請求項１に記載の自己閉鎖はめ込み式機構。
【請求項９】
前記フロータは、このフロータが前記第１の部分に対してロックされた位置に自動的に固定される最大に延長された位置を有し、この最大に延長された位置は、前記所定の範囲の外側の限度に対応している請求項８に記載の自己閉鎖はめ込み式機構。
【請求項１０】
前記フロータは、可動な突起物をこのフロータに有し、前記第１の部分は、この突起物を受けるように位置されている開口部を有し、前記第２の部分は、この開口部が前記突起物と整列した時に、この突起物をこの開口部の中へと強制するように形状が取られ、この開口部は、フロータの前記最大に延長された位置に対応し、前記フロータは、前記突起物のための解除装置をこのフロータに有し、この解除装置は、前記第２の部分が開いた位置から閉じられた位置に向かって動いている時に作動するように形状が取られ、前記第２の部分は、前記突起物が前記開口部の中から出てこれによって前記フロータを解除することを引き起こすように、前記フロータと解除装置とに接触している請求項１乃至３のいずれか１に記載の自動閉鎖はめ込み式機構。
【請求項１１】
前記フロータは、前記突起物のための解除装置をこのフロータに有し、前記解除装置は、前記第２の部分が開いた位置から閉じられた位置に向かって動いている時に作動しているように形状が取られ、この第２の部分は、前記突起物が前記開口部からでてこれによって前記フロータを解除することを引き起こすように前記フロ−タと解除装置とに接触している請求項１乃至３のいずれか１に記載の自動閉鎖はめ込み式機構。
【請求項１２】
前記フロータは、前記引き込まれた位置と延長された位置との間で前記第１の部分に沿って２.５インチ（６．３５ｃｍ）より多く動く請求項２乃至４のいずれか１に記載の自動閉鎖はめ込み式機構。
【請求項１３】
前記フロータは、前記引き込まれた位置と最大に延長された位置との間で前記第１の部分に沿って３インチ（７．６２ｃｍ）より多く動く請求項２乃至４のいずれか１に記載の自動閉鎖はめ込み式機構。
【請求項１４】
前記接続材は、前記フロータと第１の部分の内側端との間で接続されているばねであり、このばねは、このばねが収縮されている時に前記フロータと機構とが前記閉じられた位置に位置されているように、サイズが設定され位置されている請求項２乃至４のいずれか１に記載の自動閉鎖はめ込み式機構。
【請求項１５】
前記フロータは、このフロータが、前記第１の部分に対して分離可能に位置がロックされる最大に延長された位置を有する請求項１に記載の自動閉鎖はめ込み式機構。
【請求項１６】
前記第１の部分には、前記フロータのための第１のロックされた位置と第２のロックされた位置とがあり、この第１のロックされた位置は、閉じられることができ、前記所定の範囲の長さは、前記第１のロックされた位置が開いている時はこの第１のロックされた位置が用いられ、前記第１のロックされた位置が閉じられている時は前記第２のロックされた位置が用いられるように、調整可能である請求項１５に記載の自動閉鎖はめ込み式機構。
【請求項１７】
前記接続材は、前記第２のロックされた位置が前記第１のロックされた位置の代わりに用いられる時に、除去され異なる接続材に入れ替えられる請求項１６に記載の自動閉鎖はめ込み式機構。
【請求項１８】
互いに対してはめ込み式に摺動するようにサイズが設定され互いに取着されている少なくとも２つの長手方向の部分と、内側端及び外側端と、閉じられた位置及び開いた位置と、フロータとを具備する自動閉鎖はめ込み式機構であって、この少なくとも２つの長手方向の部分は、第１の部分と第２の部分とを有し、前記フロータは、前記内側端の近くでこの第１の部分に摺動可能に取着されており、このフロータは、前記第１の部分に対してこの機構の前記閉じられた位置からこのフロータの最大に延長された位置へ摺動可能であり、このフロータは、この最大に延長された位置で前記第１の部分に対してロックされた位置にあり、このフロータは、前記閉じられた位置とロックされた位置との間で前記第２の部分に取着されており、このフロータは、前記第２の部分が前記内側端から離れて前記最大に延長された位置を越えて動く時はいつでも、この第２の部分から分離され、このフロータは、この機構が開かれている時前記最大に延長された位置で前記第２の部分から自動的に分離されるように、そして、この機構が閉じられている時前記最大に延長された位置でこの第２の部分に自動的に取着するように、構成されており、前記接続材は、この機構から外力が除かれ、このフロータが、前記ロックされた位置から解除される時に前記機構を前記閉じられた位置に動かすのに十分強い、自動閉鎖はめ込み式機構。
【請求項１９】
前記フロータは、可動な突起物をこのフロータに有し、前記第１の部分は、この突起物を受けるように位置されている開口部を有し、前記第２の部分は、この開口部が前記突起物と整列した時に、この突起物をこの開口部の中へと強制するように形状が取られ、この開口部は、フロータの前記最大に延長された位置に対応し、前記フロータは、解除装置をこのフロータに有し、この解除装置は、前記第２の部分が前記開いた位置から前記閉じられた位置に向かって動いている時に前記第２の部分により作動されるように形状が取られ、前記第２の部分は、前記突起物が前記開口部の中から出てこれによって前記フロータを解除し、同時にこのフロータに取着することを引き起こすように、前記フロータと解除装置とに接触している請求項１乃至３のいずれか１に記載の自動閉鎖はめ込み式機構。
【請求項２０】
前記接続材は、前記内側端とフロータとの間に延びているばねであり、このばねは、耐腐食性である請求項１乃至３のいずれか１に記載の自動閉鎖はめ込み式機構。  
【請求項２１】
前記内側端で前記第１の部分の中には緩衝器があり、前記接続材は、この緩衝器とフロータとの間に延びている請求項１に記載の自動閉鎖はめ込み式機構。
【請求項２２】
互いに対してはめ込み式に摺動するようにサイズが設定され互いに取着されている少なくとも２つの長手方向の部分と、内側端及び外側端と、閉じられた位置及び開いた位置と、フロータとを有する自動閉鎖はめ込み式機構を構成する方法であって、この少なくとも２つの長手方向の部分は、第１の部分と第２の部分とを有し、このフロータは、前記内側端の近くで前記第１の部分に摺動可能に取着され、このフロータは、延長された位置と引き込まれた位置とを有し、前記第２の部分の中の前記フロータは、この第２の部分に前記閉じられた位置と最大に延長された位置との間で取着されるようにサイズと形状とが設定され、この方法は、手動で前記第２の部分を前記閉じられた位置から前記開いた位置に動かすことにより前記機構を開くことと、前記フロータをこのフロータが前記最大に延長された位置で前記第１の部分に対して自動的に位置がロックされるように構成することと、このフロータと前記第２の部分とを、このフロータが前記所定の範囲を越えて動く時に前記第２の部分から分離するように、構成することと、このフロータと第２の部分とを、このフロータが、この第２の部分が閉じられこの第２の部分が前記最大に延長された位置でこのフロータに接触している時自動的にこの第２の部分に取着するように、構成することとを具備し、この第２の部分は、このフロータを前記ロックされた位置から自動的に解除し、前記接続材は、外力が前記機構から除去される時に、このフロータを前記内側端に動かし、前記機構が前記閉じられた位置に動くことを引き起こす、自動閉鎖はめ込み式機構を構成する方法。
【請求項２３】
互いに対してはめ込み式に摺動するようにサイズが設定され互いに取着されている少なくとも２つの長手方向の部分と、内側端及び外側端と、閉じられた位置及び開いた位置と、フロータとを有する自動閉鎖はめ込み式機構を構成する方法であって、前記少なくとも２つの長手方向の部分は、第１の部分と第２の部分とを有し、前記フロータは、前記内側端の近くで前記第１の部分の中に摺動可能に取着され、前記方法は、前記フロータを前記内側端と、このフロータが前記第１の部分に対して位置がロックされる最大に延長された位置との間の所定の範囲の中で前記内側端の近くの前記第１の部分の中で摺動するように構成することと、前記フロータを前記内側端で引き込まれた位置に接続することと、前記フロータが前記第２の部分に前記所定の範囲の中で取着されこの所定の範囲を越えてこの第２の部分から分離されるように、この第２の部分とフロータとを構成することとを具備し、このフロータは、自動的に取着され分離され、このフロータが最大に延長された位置で前記第１の部分の中へとロックされることを引き起こしている、自動閉鎖はめ込み式機構を構成する方法。
【発明の詳細な説明】
【技術分野】
【０００１】
本発明は、自動閉鎖のはめ込み式機構に関し、特に、閉じた状態から所定の最小距離に達すると、機構が自動的に閉じられた位置に動く自動閉鎖のはめ込み式機構に関する。本発明は、さらに自動閉鎖のはめ込み式機構を構成する方法に関する。
【背景技術】
【０００２】
引出しスライドなどのための自動閉鎖のはめ込み式機構は既知である。引出しスライドは、ボトムマウントの冷蔵庫のような家電装備を含む家具及び設備において用いられている。このボトムマウントの冷蔵庫は、冷蔵庫の底の部分に位置している冷凍庫を有し、この冷凍庫の部分は、引出しを開きそして閉じることによりアクセス可能である。引出しは、引出しスライドをいずれの側にも有している。引出しは、普通の仕方で開くが、この引出しが開いた位置から閉じられた位置に向かって動かされると、この引出しは、この引出しが、完全に閉じられた位置から所定の距離に達した後は、自動的に閉じる。もし、冷凍庫の引出しが開いたままにされると、重大な問題が結果として生じ得る。引出しが完全に閉じられていないと、冷凍庫は連続的に動作し、この冷凍庫の中に蓄えられている食品が融けえて、結果として、食品への損傷となる。コンプレッサは、連続的に運転し、引出しが開いている時にオーバーヒートしうるので、損傷は、冷凍庫のコンプレッサにも引き起こされうる。以前の自動閉鎖機構は、十分に長い行程を持っておらず、または、早くにも故障しもはや動作可能ではなくなる。例えば、自動閉鎖機構は、引出しが完全に閉じられた位置から１インチ（２．５４ｃｍ）内にある場合だけ、作動する。この場合、消費者は、引出しをこの自動閉鎖機構を作動させるために十分に閉じないので、誤って引出しを開いた位置のままにしてしまいうる。また、自動閉鎖機構は、始めは、引出しを完全に閉じられた位置に向かって引くことができるが、引出しを完全に閉じることはできない。さらに、もしこの自動閉鎖機構が早くも故障すると、消費者は引出しを完全に閉じることができず、この機構は引出しの完全な閉鎖を補助しないため、引出しは、誤って開いたままにされうる。加えて、いくつかの自動閉鎖機構は、この機構を自動閉鎖位置にセットし、又は、この自動閉鎖機構を作動させるために、大きすぎる力を必要とする。他の自動閉鎖機構は、これらが早くも作動した時に容易に再セットすることができない。いずれの場合も、この大きな困難は、結果として引出しを開いたままにしうる。
【発明の開示】
【発明が解決しようとする課題】
【０００３】
以前の自動閉鎖機構は、引出しスライドの中のハウジングの中に位置しており、このハウジングは、自動閉鎖機構の行程の長さを制限し、並びに／もしくは引出しが開かれることができる距離を短くしている。このハウジングは、引出しスライドに固定されて取着されている。
【課題を解決するための手段】
【０００４】
自動閉鎖はめ込み式機構は、内側端と外側端とを有しており、この機構は、少なくとも２つの部分を有している。これら少なくとも２つの部分は、第１の部分及び第２の部分である。この機構は、前記内側端の近くで前記第１の部分に摺動可能に取着され、この内側端の近くで所定の範囲で前記第２の部分に分離可能に取着されているフロータを有している。前記フロータは、前記内側端に向かってこの内側端とフロータとの間に延びている弾性的な接続材（tether）によりバイアスがかけられている。このフロータは、前記第２の部分が所定の範囲にある時、この第２の部分に取着されており、この第２の部分がこの範囲を越えている時この第２の部分から分離されている。
【０００５】
自動閉鎖はめ込み式機構は、少なくとも２つの長手方向の部分を有しており、これらは、互いに対してはめ込み式に摺動するようにサイズが設定され取着されている。前記機構は、内側及び外側端と、閉じられた位置及び開いた位置とを有している。前記少なくとも２つの長手方向の部分は、第１の部分と第２の部分とを有している。この機構は、フロータを有し、このフロータは、前記内側端の近くでこの第１の部分の中に摺動可能に取着されている。このフロータは、延長された位置と引き込まれた位置とを有し、このフロータをこの引き込まれた位置にバイアスしている弾性の接続材に接続されている。前記引き込まれた位置にあるフロータと閉じられた位置にある機構とから始めて、この機構が開かれると、前記フロータは、自動的に延長された位置に動いている。このフロータの運動は、前記第２の部分の運動によりコントロールされている。このフロータは、このフロータが前記第１の部分に対してロックされた位置に自動的に固定されている最大に延長された位置を有している。このフロータは、前記機構が閉じ、前記第２の部分がこのフロータのための引き金点に達すると、前記ロックされた位置から自動的に解除される。このフロータが解除されると、このフロータは、接続材により前記引き込まれた位置に強制され、それにより、前記機構を前記閉じられた位置に動かしている。
【０００６】
好ましくは、前記フロータは、ハウジングに取着されていない。さらになお好ましくは、このフロータは、前記第１の部分又はこの第１の部分のカバーに直接摺動可能に取着されている。
【０００７】
自動閉鎖はめ込み式機構を構成する方法は、少なくとも２つの長手方向の部分を有しており、これらは、互いに対してはめ込み式に摺動するようにサイズが設定され取着されている。前記機構は、内側及び外側端と、閉じられた位置及び開いた位置とを有している。前記少なくとも２つの長手方向の部分は、第１の部分と第２の部分とを有している。この機構は、フロータを有し、このフロータは、前記内側端の近くでこの第１の部分の中に摺動可能に取着されている。前記方法は、この内側端と前記フロータの位置が前記第１の部分に対してロックされている最大に延長された位置との間の所定の範囲で、前記内側端の近くで前記第１の部分の中で摺動する前記フロータを構成することと、前記フロータを前記内側端で引き込まれた位置に接続する（tether）ことと、前記フロータが所定の範囲内でこの第２の部分に取着されこの所定の範囲を越えるとこの第２の部分から分離され、前記フロータは、自動的に取着し分離する、前記第２の部分とフロータとを接続することと、前記フロータが最大に延長された位置で前記第１の部分にロックされることを引き起こすこととを有している。
【発明を実施するための最良の形態】
【０００８】
本発明の意図されている有利な点の多くは、もし、以下の記述が、添付されている図面と関連して考慮されるならば、比較的すぐに明らかになり、比較的良く理解される。
【０００９】
図1に２つの引出し４を有するキャビネット２の断面側面図が示されている。各引出し４は、３つの部分８、１０、１２から構成されている引出しスライド６の対（各対のうち１つだけが図示されている）により支持されている。この引出しスライド６は、第1の部分８と、第２の部分１２と、第３の部分１０とを有している。図１に示されているような前記スライドが、各々３つの部分を有しており、これがはめ込み式のスライドに対して典型的な数である一方、スライドは、２つ以上の部分で効果的に動作することができる。このスライドは、好ましくは、互いに関しての前記スライドの動作を補助するように隣接する部分の間に位置されている複数のボールベアリング（図示されていない）を有している。ボールベアリングが、好ましく、従来的である一方で、これらボールベアリングは、必要なく、複数のスライドは、ボールベアリングなしで相互にインターフェースするように設計されることができる。例えば、スライドは、互いに摩擦により摺動することができる。前記引出しスライド６は、自動閉鎖式のフロータ１４を有している。図1に示されている上側の引出し４のように、前記引出しが閉じられている位置にある時、前記フロータ（図1では見分けられない）は、前記スライド６の各々の内部端にある。図1に示されている下側の引出し４のように、前記引出しが開いている時、前記フロータ１４は、前記スライド６の各々の外側端に向かって摺動している。
【００１０】
図２乃至４において、外側溝形材８と、中間溝形材１０と、狭い内側溝形材１２とを有している引出しスライド６の斜視図が示されている。この外側溝形材８は、前記第１の部分に対応し、前記狭い内側溝形材１２は、前記第２の部分に対応している。前記中間溝形材１０は、前記第３の部分に対応し、前記引出しが、２つの部分からなるスライドが可能とするよりも、大きな距離だけ開くことを可能にしている。図３において、前記内側溝形材１２は、前記フロータ１４全体を露出させている図を容易にするために除かれている。図２において、前記フロータ１４と、引出しスライド６とは、閉じられた位置にある。閉じられた位置において、前記外側溝形材８と、内側溝形材１２とは、実質的に互いに隣接している内側端部１６、１８をそれぞれ有している。前記中間溝形材１０は、外側溝形材８の前記内側端１６と外側端２０との間のほぼ中ほどに位置されている。前記内側溝形材１２の外側端２２は、前記スライド６が閉じられた位置にある時に外側溝形材８の前記外側端２０に実質的に隣接している。前記フロータ１４は、前記外側溝形材８の中に取着され、この外側溝形材８の中を摺動可能なようにサイズと形状とが設定されている。カバー２３は、前記外側溝形材８の中に取着され、前記フロータ１４は、このカバー２３に摺動可能に取着されている。このフロータ１４は、ハウジングの中に取着されていないが、外側溝形材８の前記カバー２３の中へと直接取着され、他の溝形材１０、１２又はスプリング３４により妨げられなければ、前記外側溝形材８の長さ全体を摺動することができる。前記カバーは、除去されることができ、前記フロータは、前記外側溝形材８の中に直接取着されるように、サイズと形状とが設定されることができる。前記スライド６の閉じられた位置において、前記フロータ１４は、図２と図３とに示されているように引き込まれた位置にある。図４において、このフロータ１４は、このフロータが前記第１の部分８に対してロックされた位置にある最大に延長された位置で示されている。
【００１１】
図３において最もよく見られるように、前記フロータ１４は、このフロータ１４にロック２４を有しており、このロックは、前記外側溝形材８の中のスロット２６の中に合わさるようにサイズが設定されている。このスロット２６は、外側溝形材８の前記内側端１６から外側端２０に向かってほぼ距離の３分の１の所に位置されている。前記フロータ１４は、また、このフロータ１４に解除装置２８を有している。この解除装置２８は、前記ロック２４を解除するように横向きに摺動可能である。このロック２４は、前記スロットの中に又は中から回動するように接続されている。前記フロータ１４が、外側溝形材８の前記外側端２２に向かい、前記ロック２４が前記スロットの直接上にある時、このロック２４への下向きの力がこのロックを前記スロット２６の中へと回動させている。
【００１２】
前記フロータ１４は、このフロータ１４と外側溝形材８の内側端１６との間に接続されているばね３４を有している。この内側端１６において、このばね３４は、緩衝器３５に接続されている。前記フロータ１４が、延長された位置に動き、前記ロック２４が前記スロット２６に挿入されている時、このばね３４は、このフロータ２４に内側端１６に向かう力をかけている。好ましくは、前記中間溝形材１０と内側溝形材１２との間に、また、この中間溝形材１０と外側溝形材８との間にボールベアリング(図示されていない)がある。
【００１３】
図５において、前記フロータ１４の分解図が示されている。このフロータ１４は、外側溝形材８の前記カバー２３（図５に示されていない）の中に摺動可能に合うようなサイズと形状とを有する本体３８を備えている。前記ロック２４は、中心点４２の回りにこの本体３８の外側端４０に回動可能に取着されている。外側端４０は、円筒状の開口部４３を有している。ロック２４の突起部４４は、前記スロット２６（図５には示されていない）の中に合うようにサイズが設定されている。前記ばね３４は、前記本体３８の仮想的な長手方向中心軸に沿って延びている円筒状通路４６の中に合っている。前記ロック２４は、このロック２４にアバットメント４８を有している。このアバットメント４８は、前記解除装置２８の腕部５０に対応している。この解除装置２８は、外側溝形材８の前記内側端１６（図５には示されていない）から見られると、外側溝形材８（図５には示されていない）の左手縁５２（図５には示されていないが図７を見よ）に向かってばねでバイアスがかけられている（spring biased）。この解除装置２８は、ブロック５５に当たっている延長部材５３を有している。この解除装置は、好ましくはプラスチック材料で構成されている前記延長部材５３の弾力性のためにばねでバイアスがかけられているといわれている。
【００１４】
図３において、前記本体３８の組み立てられた斜視図が示されている。図６において、図３において示されている、組み立てられた本体３８の下側図が示されている。同一である構成要素を記述するために図５で用いられている参照符号と同一の参照符号が図６で用いられている。前記ばね３４は、前記ロック２４に固定されている外側端５４を有している。
【００１５】
図７において、前記外側溝形材８の中の延長された位置にある前記フロータ１４の部分上面図が示されている。図８において、前記外側溝形材８の中の延長された位置にある前記フロータ１４の下側側面図が示されている。図７と図８とにおいて、前記ロック２４は、前記突起部４４が前記スロット２６の中に位置されているロックされている位置にある。前記解除装置２８は、前記左手縁５２に向かって動き、前記腕部５０は、前記ロック２４が前記スロット２６から回動して出るのを妨げるように、前記アバットメント４８と一列に並んでいる。前記解除装置２８と腕部５０とは、前記突起部４４が前記スロット２６の中に位置されているロックされた位置に前記フロータ１４を維持している。同じである構成要素に対して図３と図５とで用いられているのと同じ参照符号が図７と図８との中で用いられている。
【００１６】
図３において、前記腕部５０は、前記フロータが解除された位置にある時に、前記アバットメント４８のそばに位置されていることが見られることができる。前記突起部４４が、前記スロット２６に入り、前記フロータを外側溝形材８の延長された位置でロックするように、前記ロック２４が回動すると、ばねバイアスは、前記腕部５０が前記アバットメント４８と長手方向に整列されるように、前記解除装置２８を左手縁５２に向かって動かしている。前記腕部５０は、前記ロック２４が（図２ａに示されている側から見られた時）反時計回りに回動するのを妨げ、それによって前記突起部４４を前記スロット２６の中に維持している。このように、前記フロータ１４は、前記外側溝形材８に対してロックされた位置に留まっている。同じ参照符号が、図１と図２との構成要素と同じ構成要素を記述するために図３において用いられている。
【００１７】
図９において、前記フロータ１４は、ロックされた位置に留まるが、前記内側溝形材１２は、閉じられた位置に向かって動いている。レバー３０が、前記内側溝形材１２の内面（図９には示されていない）に中心点３２で回動可能に取着されている。図２と図３とに示されている、閉じられた位置において、前記レバー３０は、前記ロック２４に解除可能に結合されている。レバー３０は、前記ロック２４に前記外側溝形材８に向かう向きに力をかけている。図２と図３とにおいて、このレバー３０によって前記ロック２４にかけられている力は、下向きの（すなわち、前記第１の部分８に向かう）力であると考えられる。この瞬間、前記レバー３０は、前記ロック２４から分離され、前記内側溝形材１２と中間溝形材１０とは、完全に開いた位置に向かって外向きに自由に動き続けることができる。前記内側溝形材１２は、この内側溝形材１２の下に位置されている、前記フロータ１４の部分を見えなくしないように、部分的に内部が見える部分を有している。前記内側溝形材１２は、この内側溝形材１２の側壁から内向きに延びているＶ字形状の突起５６を有している。この内側溝形材１２が、閉じられた位置に向かって動きつづけると、前記突起５６は、前記解除装置２８を打ち、それによって、この解除装置を押して前記左手縁５２からさらに離すことが見られることができる。前記内側溝形材１２は、閉じる動作の間に前記ロックされた位置から前記フロータを解除するための引き金点を与えている。このことは、前記腕部５０を前記アバットメント４８との整列から動かすことになる。前記突起５６が前記解除装置２８を駆動させることにより前記ロック２４を解除する時までに、前記レバー３０は、このレバー３０が少なくとも部分的に前記ロック２４を越える位置に動いていることになる。前記ばね３４の張力の強度は、前記ロック２４が、前記突起物４４(図９には示されていない)が前記スロット２６を出るように、回動することを引き起こすことになる。前記ばね３４は、前記フロータ１４を外側溝形材８の前記内側端１６に向かって引くことになり、前記レバー３０は、前記内側溝形材１２と中間溝形材１０とを図１に示されている、閉じられた位置に動かすように、前記ロック２４にかかることになる。
【００１８】
図１０は、引き込まれた位置にある前記フロータ１４と閉じられた位置にある前記スライダ６の部分拡大斜視図である。換言すると、前記引出しが閉じられると、前記内側溝形材１２は、前記フロータをロックされた位置から解除し、ほとんど同時に、前記内側スライド１２は、前記フロータ１４に再び結合されている。この内側溝形材１２は、複数の構成要素を露出するように部分的に切り取られており、これら構成要素は、そうでなければ前記溝形材により除かれている。前記ばね３４によりかけられている力は、前記フロータが前記延長された位置から引き込まれた位置に自動的に動き、それにより前記スライダ６を自動閉鎖することを可能にしている。前記ばね３４の内側端は、前記緩衝器３５に固定されており、この緩衝器３５は、静止しており、外側溝形材８の前記内側端１６に留まっている。この緩衝器３５は、前記フロータを完全に引き込まれた位置で止めている。図１０に示されているように、前記狭い溝形材１２は、この狭い溝形材１２の内側面で前記左手縁５２から離れている側に高くなった部分６２を有している。この高められた部分６２は、前記引出しスライド６が開かれている時に、図９に示されているようなロックされた位置へと前記解除装置２８を動かすための予備物として働いている。例えば、もし、ばねの取着が十分強くないか図１０に示されている解除された位置から図９に示されているロックされている位置へと前記解除装置を動かすことができないならば、いったん、前記ロック２４が前記突起物４４が前記スロットの中に位置されるように回動したならば、前記高くなった部分６２が、この解除装置を押して前記左手縁５２に向かって動かすことになる。同時に、前記レバー３０は、前記ロック２４から取り外されることになる。
【００１９】
図１１において、内側溝形材１２の前記内側端１８の下側６４の部分斜視図が示されている。前記Ｖ字形状突起５６と、高くなった部分６２と、レバー３０の下側６４とが示されている。前記レバー３０は、このレバー３０の自由端に延長部６６を有している。この延長部６６は、前記スライド６（図１１には示されていない）が、閉じられた位置にある時か、このスライド６が、前記フロータが前記引き込まれた位置から延長された位置へと動いている間に、開いた位置へと動いている時に、前記ロック２４（図１１には示されていない）と結合している。前記フロータ（図１１には示されていない）が、延長された位置でロックされるとすぐに、前記レバー３０は、前記ロック２４から分離している。
【００２０】
前記引出しを支持している２つの引出しスライドの引出しが開いたままである間、前記フロータは、ロックされた位置から解除された位置へと動かされることが可能である。換言すれば、前記突起物４４は、前記引出しが、閉じる位置に向かって動かされ、前記レバー３０が前記ロック２４と再結合する前に、偶然前記スロット２６から除去され得る。もし、前記フロートが早く解除されすぎたなら、自動閉鎖機構はその特別なサイクルにおいて前記引出しが閉じられている間、動作しないことになる。しかしながら、この引出しが完全に閉じられた時は、前記レバー３０が、このレバー３０は、好ましくは、柔軟な材料で構成されており、さらになお好ましくは、プラスチック材料で構成されているため、前記ロック２４の上に乗り上げて、前記引出しスライドとフロータとのそれぞれの閉じられ引き込まれた位置において再セットされることになる。このレバーは、前記中心点３２の回りに回動されるので、このレバーは、わずかに横に動き前記ロック２４の回りを動いて、前記フロータが図３に示されている初期位置にある時、再び結合されるか再セットされる。本発明の自動閉鎖機構は、損傷なく再セットし、非常に滑らかに再セットするので使用者には再セットの手続きは目立たない。
【００２１】
図１２において、フロータ７８に対する解除装置６８のさらなる実施の形態が示されている。解除装置６８は、前記解除装置２８と異なっている。前記解除装置２８は、ロックされた位置に、前記ブロック５５（図９と図１０とを見よ）に当たる延長部材５３の弾力性のために、動いている。図３を図９と比較することにより、図３の解除された位置において、前記延長部材５３は、一般的に前記左手縁５２と平行であることが見られることができる。しかしながら、図９に示されている前記解除装置２８のロックされた位置において前記延長部材５３は、前記左手縁５２に対して斜めである。前記延長部材５３の弾性は、前記解除装置が図３の解除された位置から図９のロックされた位置へと動くことを、この解除装置が自由に移動できるとすぐに、引き起こしている。図１２において、ばね７４は、フロータ７８のロック２４の前記突起物４４(図１２には示されていない)が、前記スロット２６（図１２には図示されていない）にロックされるとすぐに、解除装置６８を解除された位置からロックされた位置へと動かしている。このばね７４は、突起（stub）７６に取着されている。この突起７６は、前記解除装置６８には接続されておらず、この解除装置６８は、この突起７４に対して自由に動くことができる。前記フロータ７８は、カバーの除去された前記外側溝形材８（図１２には示されていない）の中を直接摺動するようにサイズと形状とが設定されている。同一である構成要素に対して図５で用いられたのと同じ参照符号が図１２において用いられている。
【００２２】
図１３において、前記フロータ１４とカバー２３との分解斜視図が示されている。好ましくは、このカバーは、プラスチックで構成されている。同一である構成要素に対して図５で用いられたのと同じ参照符号が用いられている。
【００２３】
本発明は、様々な自動閉鎖機構に用いられることができ、引出しスライドに制限されない。この自動閉鎖機構は、好ましくは、引出しスライドとして用いられる。本発明は、１つの引出しスライドに関して詳細に記述されてきたが、明らかに、本発明が用いられる各引出しのいずれの側にも２つのはめ込み式のスライドがある。いくつかの引出しは各側に２つ以上の引出しスライドを有するように設計されることができる。本発明の以前の発明にまさる有利な点は、自動閉鎖の行程の長さが以前の装置におけるよりもはるかに長くなりえ、前記フロータがいずれのハウジングの中にも位置されていないのでこのハウジングの長さに制限されないことである。さらに、以前の装置においては、引出しが開かれることができる程度は、自動閉鎖装置のサイズにより制限されているか又は減少されている。換言すれば、自動閉鎖装置が長くなればなるほど、ある特定の引出しが開かれることができる距離はより小さくなっている。本発明では、フロータの行程の長さは、前記ばねの長さ及び強さと、前記スロット２６の位置とにより決定されている。特定の外側溝形材のための前記スロット２６の位置は、この外側溝形材の長さに沿ったこのスロット２６の位置を単純に変化させることにより、そして、もし、必要ならば、前記ばねに対応する変化を加えることにより増加されるか減少されることができる。例えば、外側溝形材は、互いに長手方向に離れて位置されている２つのスロット２６を有することができる。これら２つのスロットの１つは、常に取り外し可能なプラグで塞がれることができる。前記行程の距離を変化させることが所望されている時には、このプラグが、一方のスロットから取り外され、他方のスロットの中へと位置されることができる。もし、必要ならば、前記ばねは、新しい行程の長さのために設計されたばねで置き換えられることができる。冷蔵庫又は冷凍庫の中で用いられる時は、前記ばねは、好ましくは、耐腐食のため亜鉛コーティングされている。このばねは、他の耐腐食コーティングでコーティングされることもでき、耐腐食材料（例えば、ステンレススティール）から構成されることができる。ばねの代わりに、他の弾性部材又は弾性の接続材が用いられることができる。例えば、延長されたネオプレン接続材が、前記ばね３４の代わりに用いられることができる。もし行程の長さが短すぎると消費者はなお引出しを開いたままにしておくことができるので、前記自動閉鎖機構にとって長い行程距離を有することは重要である。この行程の距離が長くなればなるほど、消費者が、前記自動閉鎖機構を作動させるために十分な距離だけ引出しを閉じる可能性は高くなる。本発明の自動閉鎖機構は、好ましくは、少なくとも２．５インチ（６．３５ｃｍ）の行程の距離を有し、なおより好ましくは、少なくとも３.０インチ（７．６２ｃｍ）の行程の距離を有している。
【図面の簡単な説明】
【００２４】
【図１】各々が３つの部分からなる自動閉鎖の引出しスライドに取着されている２つの引出しの断面図である。
【図２】閉じられた位置における３つの部分からなる引出しスライドの斜視図である。
【図３】フロータを露出するように狭い部分が除かれている引出しスライドの拡大部分斜視図である。
【図４】開いた位置にある引出しスライドの斜視図である。
【図５】フロータの分解斜視図である。
【図６】フロータの底部の図である。
【図７】引出しスライドの延長された位置にロックされているフロータの部分斜視図である。
【図８】フロータが延長された位置にロックされている引出しスライドの外面の部分斜視図である。
【図９】部分的に開いた位置における引出しスライドの部分斜視図である。
【図１０】狭い部分が部分的に切り取られている閉じられた位置における自走閉鎖引出しスライドの部分斜視図である。
【図１１】狭い部分の下側部分の部分斜視図である。
【図１２】異なるラッチプレートを有するフロータのさらなる実施の形態の上面図である。
【図１３】フロータとカバーとの部分分解斜視図である。
【図１】
2006525041.tif 000003
【図２】
2006525041.tif 000004
【図３】
2006525041.tif 000005
【図４】
2006525041.tif 000006
【図５】
2006525041.tif 000007
【図６】
2006525041.tif 000008
【図７】
2006525041.tif 000009
【図８】
2006525041.tif 000010
【図９】
2006525041.tif 000011
【図１０】
2006525041.tif 000012
【図１１】
2006525041.tif 000013
【図１２】
2006525041.tif 000014
【図１３】
2006525041.tif 000015
【国際調査報告】
2006525041.tif 000016
2006525041.tif 000017